【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
交換レンズ鏡筒の一部でありフィルタホルダの挿脱が可能なフィルタホルダベースと、
フィルタが着脱可能であり、前記フィルタホルダベースへの挿脱可能な前記フィルタホルダとからなるフィルタホルダユニットであり、
前記フィルタホルダベースは、
ロックピンと、
前記ロックピンを押し出す弾性部材と、
前記フィルタホルダを前記フィルタホルダベースより取り外す方向へ押し出す付勢部材を有し、
前記フィルタホルダは、
前記フィルタホルダを前記フィルタホルダベースに挿入した際、前記ロックピンと係合する第１係合部と、
フィルタホルダつまみと、
フィルタホルダつまみ軸部を有し、
前記フィルタホルダは、フィルタホルダ本体と一体の軸受を有し、前記軸受にフィルタホルダつまみ軸部を軸支させ、
前記フィルタホルダつまみ軸部は、前記軸受との摺動部にはＯリングが、下端にはロック解除板がそれぞれ設けられ、
前記ロック解除板は、前記フィルタホルダつまみと前記フィルタホルダ軸部と共に回動し、
前記ロックピンと前記第１係合部が係合することで、前記フィルタホルダが前記交換レンズ鏡筒に固定され、
前記ロック解除板の回動により前記ロックピンと前記第１係合部の係合関係が解消されることを特徴とするフィルタホルダユニット。
【請求項２】
前記フィルタホルダは、
前記第１係合部から前記フィルタと光軸Ｏとの交点Ｘの方向に第２係合部を有し、
前記第１係合部と前記ロックピンとの係合関係が解除され、前記付勢部材により、前記フィルタホルダが押し出された際、
前記ロックピンと前記第２係合部が係合することにより、前記フィルタホルダが飛び出すことを防止することを特徴とする請求項１記載のフィルタホルダユニット。
【請求項３】
前記フィルタホルダは、
係止部を有し、
前記係止部は、前記フィルタホルダ本体のうち、前記ロックピンと係合する前記第１係合部と前記第２係合部とは異なる面にあり、
前記係止部は、前記フィルタと光軸Ｏの交点Ｘから前記係止部までの距離より前記フィルタと光軸Ｏの交点Ｘから前記第１係合部までの距離が長くなる位置に配置され、
前記ロックピンを係止することで、前記フィルタホルダの誤挿入を防止することを特徴とする請求項１又は２に記載のフィルタホルダユニット。
【手続補正２】
【補正対象書類名】明細書
【補正対象項目名】全文
【補正方法】変更
【補正の内容】
【発明の詳細な説明】
【発明の名称】フィルタホルダユニット
【技術分野】
【０００１】
本発明は、交換レンズなどの光学装置に使用する挿脱可能な差込フィルタに関する。
【背景技術】
【０００２】
従来、レンズ鏡筒の前玉にフィルタを装着するよりも光束が絞られたレンズ鏡筒の途中にフィルタを装着することでフィルタを小さくできることから、レンズ鏡筒の途中に挿脱可能なフィルタを有する交換レンズがある。
【０００３】
近年、交換レンズやカメラ本体は、外部から内部への水や埃の侵入を防ぐ防塵防滴構造であることが多い。このような交換レンズに用いられるフィルタホルダも同様に、防塵防滴構造であることが求められる。
【０００４】
特許文献１は、ねじ込み式フィルタでもフィルム状フィルタでも、また、これらを単独でも同時にでも使用でき、レンズ鏡筒への着脱を容易に行うことのできる、構造の単純なフィルタホルダを開示している。
【先行技術文献】
【特許文献】
【０００５】
【特許文献１】実開平０４−１２９１２０号公報
【発明の概要】
【発明が解決しようとする課題】
【０００６】
しかしながら、特許文献１に記載のフィルタホルダは、フィルタホルダへの侵入する水や埃のことが考慮されておらず、侵入を抑えるためのＯリングなども備えていない。その結果、特許文献１に記載のフィルタホルダを交換レンズ鏡筒から取り外す場合、着脱ノブ１５を押し込みながら９０°回転させ、ロックピン２５を保持溝２７に保持する。この構造では、着脱ノブ１５を押し込んだ際、着脱ノブ１５に付着していた水や埃が、フィルタホルダ内部に侵入してしまう。以上のことから、特許文献１に記載のフィルタホルダは、カメラボディや交換レンズ鏡筒が防塵防滴構造であっても、周辺部よりフィルタホルダ内部へ水や埃が侵入してしまうという課題を有する。
【０００７】
本発明はこのような状況に鑑みてなされたものであり、交換レンズ鏡筒への取り外し時にフィルタホルダ本体外部からフィルタ内部への水や埃の侵入を防止する防塵防滴機能を有するフィルタホルダユニットを提供することを目的とする。
【課題を解決するための手段】
【０００８】
上述の課題を解決するための手段である第１の発明は、交換レンズ鏡筒の一部でありフィルタホルダの挿脱が可能なフィルタホルダベースと、フィルタが着脱可能であり、前記フィルタホルダベースへの挿脱可能な前記フィルタホルダとからなるフィルタホルダユニットであり、前記フィルタホルダベースは、ロックピンと、前記ロックピンを押し出す弾性部材と、前記フィルタホルダを前記フィルタホルダベースより取り外す方向へ押し出す付勢部材を有し、前記フィルタホルダは、前記フィルタホルダを前記フィルタホルダベースに挿入した際、前記ロックピンと係合する第１係合部と、フィルタホルダつまみと、フィルタホルダつまみ軸部を有し、前記フィルタホルダは、フィルタホルダ本体と一体の軸受を有し、前記軸受にフィルタホルダつまみ軸部を軸支させ、前記フィルタホルダつまみ軸部は、前記軸受との摺動部にはＯリングが、下端にはロック解除板がそれぞれ設けられ、前記ロック解除板は、前記フィルタホルダつまみと前記フィルタホルダ軸部と共に回動し、前記ロックピンと前記第１係合部が係合することで、前記フィルタホルダが前記交換レンズ鏡筒に固定され、前記ロック解除板の回動により前記ロックピンと前記第１係合部の係合関係が解消されることを特徴とする。
【０００９】
また、上述の課題を解決するための手段である第２の発明は、第１の発明であるフィルタホルダユニットであり、さらに前記フィルタホルダは、前記第１係合部から前記フィルタと光軸Ｏとの交点Ｘの方向に第２係合部を有し、前記第１係合部と前記ロックピンとの係合関係が解除され、前記付勢部材により、前記フィルタホルダが押し出された際、前記ロックピンと前記第２係合部が係合することにより、前記フィルタホルダが飛び出すことを防止することを特徴とする。
【００１０】
また、上述の課題を解決するための手段である第３の発明は、第１の発明又は第２の発明のいずれかであるフィルタホルダユニットであり、さらに前記フィルタホルダは、係止部を有し、前記係止部は、前記フィルタホルダ本体のうち、前記ロックピンと係合する前記第１係合部と前記第２係合部とは異なる面にあり、前記係止部は、前記フィルタと光軸Ｏの交点Ｘから前記係止部までの距離より前記フィルタと光軸Ｏの交点Ｘから前記第１係合部までの距離が長くなる位置に配置され、前記ロックピンを係止することで、前記フィルタホルダの誤挿入を防止することを特徴とする。
【発明の効果】
【００１１】
本発明によれば、交換レンズ鏡筒からの取り外し時にフィルタホルダ本体外部からフィルタ内部への水や埃の侵入を防止する防塵防滴機能を有するフィルタホルダユニットを提供することができる。
【図面の簡単な説明】
【００１２】
【図１】本発明の実施例に係る斜視図
【図２】本発明の参考例に係るフィルタホルダ１の断面図
【図３】本発明の実施例１に係るフィルタホルダ１の断面図
【図４】本発明の実施例１に係るフィルタホルダ１の第１係合部２２とロックピン４０の関係図
【図５】本発明の実施例１に係るフィルタホルダ１の係止部Ｂと第１係合部貫通孔２２１の図
【発明を実施するための形態】
【００１３】
以下、添付の図面に従って、本発明を実施するための最良の形態について説明する。なお、この実施の形態により本発明が限定されるものではない。
【００１４】
図１は、本発明の一実施の形態に係るフィルタホルダユニット１００の図面である。尚、図１は、本発明の説明を簡単にするために簡略化されている。図２は、参考例の断面図であり、図３は、フィルタホルダ１を図１中Ａに沿った実施例１の断面図である。図４は、フィルタホルダ１のロック板１２２とロックピンの係合関係を示した図である。図５は、フィルタホルダ１のロック板１２２とロックピンの係合と反対側にある係止部の図である。
【００１５】
なお、図中上下方向は光軸に垂直な方向、図中左右方向は光軸と水平な方向となる。図１乃至図５のフィルタホルダ１は、ゼラチンフィルタなどフィルタ自体を省略している。また、図１及び図５は左側が物体側、右側が撮像素子側となり、図２〜図４は左側が撮像素子側、右側が物体側となる。また、図中のＯは不図示の交換レンズ鏡筒の光軸を表し、不図示のフィルタの光軸も含まれる。不図示のフィルタと光軸Ｏとの交点を交点Ｘとする。
【参考例】
【００１６】
フィルタホルダユニット１００は、フィルタホルダ１とフィルタホルダベース２とから構成される。フィルタホルダ１は、不図示の交換レンズ鏡筒の一部であるフィルタホルダベース２に挿脱可能である。フィルタホルダ１は、不図示のフィルタが配置されるフィルタ枠１４を保持するフィルタホルダ本体１０と交換レンズ鏡筒の外周面に沿った外観板１１とを有する。
【００１７】
フィルタホルダ本体１０は、フィルタ枠１４を保持する。フィルタ枠１４にはフィルタがセットされる。本願実施例図１から図５では、フィルタは不図示である。
【００１８】
外観板１１は、不図示の交換レンズ鏡筒の一部であるフィルタホルダベース２の開口部と一致する形状とする。また、フィルタホルダ１はフィルタホルダベース２の開口部に沿うように緩衝材１３を有することで水や埃の侵入を防止している。外観板１１は、軸受を設け、軸部１２１を軸支する。
【００１９】
フィルタホルダつまみ１２は、フィルタホルダ１を交換レンズ鏡筒に挿入した際、参考例では、交換レンズ鏡筒から脱落を防止するロック板１２２を操作するつまみであり、本発明の実施例１では、ロック解除板２０を操作するためのつまみである。参考例では、フィルタホルダつまみ１２を回転させることで、軸部１２１と切欠き板であるロック板１２２が一体となって回転し、ロック板１２２が交換レンズ鏡筒の一部であるフィルタホルダベース２と係合状態と係合解消状態を切り替えることが可能である。つまり、係合状態であれば、フィルタホルダ１は交換レンズ鏡筒にロックされるのでフィルタホルダ１の脱落を防ぐ。係合解消状態であれば、フィルタホルダ１は交換レンズ鏡筒から抜き出すことが可能となる。フィルタホルダつまみ１２と軸部１２１は一体ものであっても別体でも構わないことは言うまでもない。
【００２０】
緩衝材１３は、防塵防滴機能を有した緩衝材である。緩衝材１３は、外観板１１とフィルタホルダベース２の間に配置され防塵防滴機能を発揮する。
【００２１】
参考例で用いるロック板１２２は、軸部１２１の下端に配置され、使用者がフィルタホルダつまみ１２を回転させることで、一体となって回転し、フィルタホルダベース２と係合する。かかる係合によって、フィルタホルダ１は不図示の交換レンズ鏡筒にロックされる。
【００２２】
参考例は、フィルタホルダ１がフィルタホルダベース２と係合と係合解消状態をフィルタホルダつまみ１２とフィルタホルダつまみ１２と一体回転するロック板１２２の回転のみで切り替えることが可能である。従って、フィルタホルダ１の内部と外部を行き来する部材は存在しない。その結果、フィルタホルダ１外部に付着する水や埃がフィルタホルダ１の抜去操作時に、フィルタホルダ１の外部と内部を行き来する部材に付着してフィルタホルダ１内部へ浸入することを防ぐ構成となる。
【００２３】
ロック板カバー２１は、第１係合部２２を有する。フィルタホルダ１をフィルタホルダベース２へ挿入した場合、使用者がフィルタホルダつまみ１２を回転させることで、ロック板１２２の一部が第１係合部２２を突き抜けて、フィルタホルダベース２と係合する。図２中のロック板１２２は、第１係合部２２を突き抜けて、不図示のフィルタホルダベース２と係合状態である。
【００２４】
付勢部材３０は、フィルタホルダベース２から取り出す方向へフィルタホルダ１を押し出す。
【００２５】
Ｏリング３１は、外観板１１とフィルタホルダ１２の軸部１２１の間に配置される。軸部１２１は、フィルタホルダ１２と一体回転するので、軸部１２１が回転するために軸部１２１と外観板１１の間にクリアランスが必要となる。従って、Ｏリング３１を配置することで、軸部１２１と外観板１１の摺動部から水や埃の侵入を防いでいる。
【００２６】
次に本発明の実施例１について図３乃至図５を用いて説明する。
【実施例１】
【００２７】
参考例は、ロック板１２２をフィルタホルダベース２との係合と係合の解消を切り替えることで、フィルタホルダ１を不図示の交換レンズ鏡筒とのロックとロック解除を行っていた。
【００２８】
一方、本発明の実施例１では、フィルタホルダベース２は、ロックピン４０とロックピン４０を押し出すための弾性部材４１とを備えている。フィルタホルダ１のロック板カバー２１は、第１係合部２２に加えて第２係合部２３を有する。ロックピン４０と弾性部材４１は、フィルタホルダベース２にフィルタホルダ１が挿入された際、第１係合部２２及び第２係合部２３と対面する箇所に配置される。図４は、フィルタホルダベース２が有するロックピン４０と弾性部材４１と、フィルタホルダ１が有するロック板カバー２１と第１係合部２２と第２係合部２３との関係性を示した図である。但し、フィルタホルダベース２は不図示としている。
【００２９】
フィルタホルダ１は、参考例ではロック板１２２が第１係合部２２を突き抜けてフィルタホルダベース２と係合していた。本発明の実施例１ではフィルタホルダ１をフィルタホルダベースに挿入し、使用者がフィルタホルダつまみ１２を回転させることでロック解除板２０も一体回転し、弾性部材４１に押し出されたロックピン４０と第１係合部２２が係合することでフィルタホルダ１は交換レンズ鏡筒にロックされる。その結果、フィルタホルダ１の脱落を防ぐ。また、フィルタホルダ１を抜去する場合、使用者がフィルタホルダつまみ１２を回転させることでロック解除板２０が一体回転し、ロックピン４０を弾性部材４１による力に逆らって第１係合部２２より押し出すことで第１係合部２２とロックピン４０の係合関係を解消する。その結果、付勢部材３０の力によってフィルタホルダ１はフィルタホルダベース２より押し出される。
【００３０】
ロック解除板２０について説明する。上述したようにフィルタホルダ１を抜去するためにロックピン４０と第１係合部２２の係合関係を解除する場合、ロック解除板２０は、ロックピン４０を押し出す状態の向きであり、フィルタホルダ１をフィルタホルダベース２に挿入した場合、ロック解除板２０は、ロックピン４０を受け入れる状態の向きにある。
【００３１】
さらには、本発明の実施例１で用いるロック解除板２０は、不図示のバネ部材を有している。このバネ部材を有することで、常にロック解除板２０は、ロックピン４０を受け入れる状態の向きを維持することができる。常にロック解除板２０は、ロックピン４０を受け入れる状態の向きを維持することで、常にロックピン４０と第１係合部２２とが係合可能となる。つまり、使用者がフィルタホルダ１をフィルタホルダベース２に挿入する際に、ロック解除板２０の向きを気にしないで済む。
【００３２】
次に、本発明の実施例１は、ロック板カバー２１に第１係合部２２に加えて第２係合部２３を有する。第２係合部２３は、第１係合部２２からフィルタ（不図示）の光軸Ｏ方向へ下がった位置に配置される。第２係合部２３が存在することで、付勢部材３０により押し出されたフィルタホルダ１は、第２係合部２３とロックピン４０が係合し、フィルタホルダ１の一部がフィルタホルダベース２より突出した状態にとどまる。第２係合部２３が存在しないと付勢部材３０の力加減によっては、フィルタホルダ１が、勢いよく飛び出してしまう。
【００３３】
なお、第２係合部２３とロックピン４０が係合し、フィルタホルダ１の一部がフィルタホルダベース２より突出する際の突出量は、第１係合部２２と第２係合部２３の距離となる。
【００３４】
また、本発明の実施例１はロック板カバー２１を用いたが、ロック板カバー２１を用いずにフィルタホルダ本体１０や外観板１１のロックピンと係合する位置に第１係合部２２と第２係合部２３を設けてもよいのは言うまでもない。
【００３５】
フィルタホルダ１のロック板カバー２１に配置される第２係合部２３は、図３や図４に図示されるように面取りされている。これは、フィルタホルダ１をフィルタホルダベース２に挿入する際、ロックピン４０は第１係合部２２と係合しフィルタホルダ１がロックされる前に一時的に第２係合部２３と係合する状態となる。この時、第２係合部２３が面取りされていることでロックピン４０が第２係合部２３に係合後も滑らかに動き第１係合部２２との係合状態となることで、フィルタホルダ１がロックされることとなる。
【００３６】
また、フィルタホルダベース２の備えるロックピン４０の先端も面取りすることで、より確実にロックピン４０が第２係合部２３に引っかかることなくフィルタホルダ１がロックされる。
【００３７】
また、付勢部材３０の付勢力は、ロックピン４０が第２係合部２３に係合されている状態で付勢力がゼロとなるように設定することで、第２係合部２３が面取りされていてもフィルタホルダ１が飛び出す事を防止することができる。
【００３８】
これまで説明してきたように、フィルタホルダ１をロックピン４０と第１係合部２２と第２係合部２３が対面する向きでフィルタホルダベース２に入れることを順方向とし、反対の向きで入れることを誤挿入とする。
【００３９】
また本発明の実施例１は、フィルタホルダ１を物体側と撮像素子側を本来入れる向きと反対にフィルタホルダベース２へ挿入された場合、つまり誤挿入した場合、ロックピン４０がフィルタホルダ本体１０の第１係合部２２と第２係合部２３が配置される面とは反対の面と係止する。その結果、フィルタホルダ１をこれ以上、挿入できなくなる。結果、ロックピン４０を誤挿入防止として用いることも可能である。
【００４０】
ここで、図３にあるように第１係合部２２は、撮像素子側から物体側まで貫通しており、第１係合部２２と異なる面の孔を第１係合部貫通孔２２１とする。
【００４１】
本発明の実施例１は、図５に示すように、フィルタホルダ１を誤挿入した場合、第１係合部貫通孔２２１のある面の図中フィルタホルダ本体１０のＢ点が、係止部の役割を果たす。さらに、フィルタホルダ本体１０のＢ点は、面取りがされていないため、フィルタホルダ１がフィルタホルダベース２に挿入されても、ロックピン４０がフィルタホルダ本体１０のＢ点と当接し係止されるので、これより先にフィルタホルダ１を挿入する方向に進めることができない。以上のことから、ロックピン４０はフィルタホルダ本体１０のＢ点の係止部で係止されるので、フィルタホルダ１の誤挿入防止の役割を果たす。
【００４２】
係止部の位置は、第１係合部２２及び第２係合部２３が配置される面とは反対の面であり、かつ光軸Ｏと不図示のフィルタとの交点Ｘから第１係合部貫通孔２２１を結ぶ直線上に配置される。
【００４３】
また、第１係合部２２がフィルタホルダ本体１０を貫通せず第１係合部貫通孔２２１が存在しない場合、不図示のフィルタの平面を基準とし、第１係合部２２の面対称の位置を第１係合部貫通孔２２１の位置と仮定することで係止部の位置を特定することが出来る。
【００４４】
さらには、第１係合部貫通孔２２１は、フィルタ光軸方向の辺が図５のように面取りされている。この面取りがあることによって、係止部が削られるなどしてロックピン４０が係止部を超えて第１係合部貫通孔２２１に挿入してしまっても、ロックピン４０は第１係合部貫通孔２２１から容易に抜ける。つまり、フィルタホルダ１が誤挿入したとしても、フィルタホルダベース２から容易に抜き出すことが可能となる。
【００４５】
以上のことから、本願発明では、フィルタホルダ１を交換レンズ鏡筒より抜去する際に、摺動作用を要しない構造となっている。具体的には、フィルタホルダ１の外部と内部を行き来する部材は存在しない。その結果、フィルタホルダ１外部に付着する水や埃がフィルタホルダ１の抜去操作時に、フィルタホルダ１の外部と内部を行き来する部材に付着してフィルタホルダ１内部へ侵入することを防ぐ構成となる。
【符号の説明】
【００４６】
１        フィルタホルダ
２        フィルタホルダベース
１０      フィルタホルダ本体
１００    フィルタホルダユニット
１１      外観板
１２      フィルタホルダつまみ
１２１    軸部
１２２    ロック板
１３      緩衝材
１４      フィルタ枠
２０      ロック解除板
２１      ロック板カバー
２２      第１係合部
２２１    第１係合部貫通孔
２３      第２係合部
３０      付勢部材
３１      Ｏリング
４０      ロックピン
４１      弾性部材